(57)【要約】本発明は、セルラ通信ネットワークの無線アクセスネットワークから、無線インタフェースを介して前記無線アクセスネットワークにより供給される無線セル内に配置された移動体端末装置へ、マルチメディア・ブロードキャスト／マルチキャスト・サービス（ＭＢＭＳ）用データを送信する方法に関する。無線アクセスネットワークは共通制御チャネルでページングメッセージを送信する。ＭＢＭＳデータの送信用専用チャネルの使用が提案され、該専用チャネルは、移動体端末装置がページングメッセージとＭＢＭＳデータとの同時受信が可能となるように割り当てられる。本発明は、対応するネットワークエンティティ、移動体端末装置、通信システムにも関連する。
2005528050.tif 000002
【特許請求の範囲】
【請求項１】
セルラ通信ネットワークの無線アクセスネットワークから無線インタフェースを介して、前記無線アクセスネットワークが供給する無線セルに配置された移動体端末装置へ、マルチメディア・ブロードキャスト／マルチキャスト・サービス（ＭＢＭＳ）用データを送信するデータ送信方法であって、前記無線セルで使用されているフレーム構造で規定された少なくとも１つの共通制御チャネルで、ページングメッセージを送信するステップと、前記フレーム構造で規定された専用チャネルで前記ＭＢＭＳデータを送信するステップとを具備し、前記専用チャネルは、前記移動体端末装置がページングメッセージと前記ＭＢＭＳデータとを同時に受信できるように割り当てられているデータ送信方法。
【請求項２】
前記フレーム構造において、個々のフレームが複数のタイムスロットから構成され、前記専用チャネルは、ページングメッセージを含む前記共通制御チャネル用として、少なくとも前記無線セルで使用されているタイムスロットに割り当てられ、さらに、前記専用チャネルは、ページングメッセージを含む前記共通制御チャネル用として、前記無線セルで使用されているキャリアに配置される請求項１に記載のデータ送信方法。
【請求項３】
前記フレーム構造において、個々のフレームが複数のタイムスロットから構成され、前記専用チャネルが、ページングメッセージを含む前記共通制御チャネル用として、並びに、前記無線セルで使用されているブロードキャスト制御チャネル用として、少なくとも前記無線セルで使用されているタイムスロットに割り当てられ、さらに、前記専用チャネルが、ページングメッセージを含む前記共通制御チャネル用として、並びに、前記ブロードキャスト制御チャネル用として前記無線セルで使用されているキャリアに配置される請求項１に記載のデータ送信方法。
【請求項４】
前記フレーム構造において、個々のフレームが複数のタイムスロットから構成され、前記専用チャネルが、ページングメッセージを含む前記共通制御チャネル用として、少なくとも前記無線セルで使用されているタイムスロットに割り当てられ、さらに、前記専用チャネルが、ページングメッセージを含む前記共通制御チャネル用として、前記無線セルで使用されているのと同じ周波数ホッピングパラメータを持つチャネルに配置される請求項１に記載のデータ送信方法。
【請求項５】
前記フレーム構造において、個々のフレームが複数のタイムスロットから構成され、前記専用チャネルが、ページングメッセージを含む前記共通制御チャネル用として、並びに、前記無線セルで使用されているブロードキャスト制御チャネル用として、少なくとも前記無線セルで使用されているタイムスロットに対して割り当てられ、前記専用チャネルは、ページングメッセージを含む前記共通制御チャネル用として、並びに、前記ブロードキャスト制御チャネル用として、前記無線セルで使用されているのと同じ周波数ホッピングパラメータを持つチャネルに配置される請求項１に記載のデータ送信方法。
【請求項６】
前記専用チャネルは、ページングメッセージを含む前記共通制御チャネル用として、前記無線セルで使用されているキャリアに配置し、前記フレーム構造において、個々のフレームは複数のタイムスロットから構成し、さらに、ページングメッセージの送信用として使用されている前記共通制御チャネルと関連するタイムスロットと、前記専用チャネルと関連するタイムスロットとを含む一連の連続するタイムスロット内のタイムスロットの個数が、前記無線アクセスネットワークからのダウンリンク送信用の前記移動体端末装置がサポートしている受信対象タイムスロットの個数以下である請求項１に記載のデータ送信方法。
【請求項７】
前記専用チャネルは、ページングメッセージを含む前記共通制御チャネル用として、少なくとも、前記無線セルで使用されているタイムスロットに隣接するタイムスロットに対して割り当てる請求項６に記載のデータ送信方法。
【請求項８】
前記無線セルで使用されている前記専用チャネルと、すべての共通制御チャネルとを隣接タイムスロットに割り当てる請求項６に記載のデータ送信方法。
【請求項９】
無線セルにおいて共通制御チャネルと、前記専用ＭＢＭＳチャネルとが割り当てられるタイムスロットの個数は、前記無線アクセスネットワークから前記移動体端末装置へのダウンリンク送信を受信するための前記セル内の移動体端末装置がサポートしているタイムスロットの個数以下である請求項６に記載のデータ送信方法。
【請求項１０】
前記無線セルで使用されているブロードキャスト制御チャネルは、ページングメッセージを含み、前記共通制御チャネルとは異なるタイムスロットに割り当て、前記ブロードキャスト制御チャネルと、ページングメッセージを含む前記共通制御チャネルと、前記専用チャネルとは、隣接タイムスロットに割り当て、前記無線セル内の移動体端末装置は、前記無線アクセスネットワークから前記移動体端末装置へのダウンリンク送信の受信を少なくとも３つのタイムスロットでサポートし、前記移動体端末装置が、前記ブロードキャスト制御チャネルと、ページングメッセージを含む前記共通制御チャネルと、前記専用チャネルとが割り当てられた少なくとも前記３つの隣接タイムスロットとをモニタする請求項６に記載のデータ送信方法。
【請求項１１】
前記無線セルで使用されるブロードキャスト制御チャネルはさらに、ページングメッセージを含む前記共通制御チャネルが割り当てられる前記タイムスロットに対して割り当て、前記無線セル内の移動体端末装置が、前記無線アクセスネットワークから前記移動体端末装置へのダウンリンク送信の受信を少なくとも２つのタイムスロットでサポートし、前記移動体端末装置が、ページングメッセージを含む前記共通制御チャネルと前記専用チャネルとが割り当てられる前記２つの隣接タイムスロットをモニタする請求項６に記載のデータ送信方法。
【請求項１２】
前記セルで使用されるブロードキャスト制御チャネルは、ページングメッセージを含む前記共通制御チャネルとは異なるタイムスロットに対して割り当て、前記無線セル内の移動体端末装置は、前記無線アクセスネットワークから前記移動体端末装置へのダウンリンク送信の受信を少なくとも２つのタイムスロットでサポートし、前記移動体端末装置が、ページングメッセージを含む前記共通制御チャネルと前記専用チャネルとを割り当てられた、少なくとも前記２つの隣接タイムスロットを通常モニタし、さらに、ページングメッセージを含む前記共通制御チャネルと前記ブロードキャスト制御チャネルとが割り当てられた、少なくとも前記タイムスロットを所定の短期間代わりにモニタする請求項６に記載のデータ送信方法。
【請求項１３】
前記専用チャネルはさらに、前記少なくとも１つのタイムスロットが前記共通制御チャネルに必要ではない期間、前記無線セルで共通制御チャネルが割り当てられる少なくとも１つのタイムスロットに対して割り当てる請求項６に記載のデータ送信方法。
【請求項１４】
前記専用チャネルは、ページングメッセージを含む前記共通制御チャネル用として、前記無線セルで使用されているのと同じ周波数ホッピングパラメータを持つチャネルに配置し、前記フレーム構造において、複数のタイムスロットから個々のフレームを構成し、さらに、ページングメッセージの送信用として使用されている前記共通制御チャネルと関連するタイムスロットと、前記専用チャネルと関連するタイムスロットとを含む一連の連続するタイムスロット内のタイムスロットの個数が、前記無線アクセスネットワークからのダウンリンク送信用の前記移動体端末装置がサポートしている受け取り対象タイムスロットの個数以下である請求項１に記載のデータ送信方法。
【請求項１５】
前記専用チャネルは、ページングメッセージを含む前記共通制御チャネル用として、少なくとも、前記無線セルで使用されているタイムスロットに隣接するタイムスロットに対して割り当てる請求項１４に記載のデータ送信方法。
【請求項１６】
前記無線セルで使用されている前記専用チャネルと、すべての共通制御チャネルとは、隣接タイムスロットに割り当てる請求項１４に記載のデータ送信方法。
【請求項１７】
無線セルにおいて、共通制御チャネルと、前記専用ＭＢＭＳチャネルとが割り当てられるタイムスロットの個数は、前記無線アクセスネットワークから前記移動体端末装置へのダウンリンク送信を受信するための前記セル内の移動体端末装置がサポートしているタイムスロットの個数以下である請求項１４に記載のデータ送信方法。
【請求項１８】
前記無線セルで使用されているブロードキャスト制御チャネルは、ページングメッセージを含む前記共通制御チャネルとは異なるタイムスロットに割り当て、前記ブロードキャスト制御チャネルと、ページングメッセージを含む前記共通制御チャネルと、前記専用チャネルとは、隣接タイムスロットに割り当て、前記無線セル内の移動体端末装置は、前記無線アクセスネットワークから前記移動体端末装置へのダウンリンク送信の受信を少なくとも３つのタイムスロットでサポートし、前記移動体端末装置が、前記ブロードキャスト制御チャネルと、ページングメッセージを含む前記共通制御チャネルと、前記専用チャネルとが割り当てられた少なくとも前記３つの隣接タイムスロットをモニタする請求項１４に記載のデータ送信方法。
【請求項１９】
前記無線セルで使用されているブロードキャスト制御チャネルはさらに、ページングメッセージを含む前記共通制御チャネルが割り当てられたタイムスロットである前記タイムスロットに対して割り当て、前記無線セル内の移動体端末装置は、前記無線アクセスネットワークから前記移動体端末装置へのダウンリンク送信の受信を少なくとも２つのタイムスロットでサポートし、前記２つの移動体端末装置は、ページングメッセージを含む前記共通制御チャネルと前記専用チャネルとが割り当てられた前記２つの隣接タイムスロットをモニタする請求項１４に記載のデータ送信方法。
【請求項２０】
前記セルで使用されるブロードキャスト制御チャネルは、ページングメッセージを含む前記共通制御チャネルとは異なるタイムスロットに対して割り当て、前記無線セル内の移動体端末装置は、前記無線アクセスネットワークから前記移動体端末装置へのダウンリンク送信の受信を少なくとも２つのタイムスロットでサポートし、前記移動体端末装置が、ページングメッセージを含む前記共通制御チャネルと前記専用チャネルとを割り当てられた、少なくとも前記２つの隣接タイムスロットを通常モニタし、さらに、ページングメッセージを含む前記共通制御チャネルと前記ブロードキャスト制御チャネルとが割り当てられた、少なくとも前記タイムスロットを所定の短期間代わりにモニタする請求項１４に記載のデータ送信方法。
【請求項２１】
前記専用チャネルはさらに、前記少なくとも１つのタイムスロットが、前記共通制御チャネルに必要ではない期間、前記無線セルで共通制御チャネルを割り当てられた少なくとも１つのタイムスロットに対して割り当てる請求項１４に記載のデータ送信方法。
【請求項２２】
前記フレーム構造において、所定数のフレームが個々のブロックを構成し、前記ＭＢＭＳデータは、ページングメッセージが前記共通制御チャネルで送信されるブロックとは異なるブロックで、前記専用チャネルによって送信する請求項１に記載のデータ送信方法。
【請求項２３】
前記専用チャネルで送信するＭＢＭＳデータは、前記無線セルでの送信中の紛失を許容し、前記専用チャネルでの前記ＭＢＭＳデータの送信の反復中に、前記移動体端末装置によって後の受信を可能にする請求項１に記載のデータ送信方法。
【請求項２４】
前記ページングメッセージはさらに、前記専用チャネルで送信する請求項１に記載のデータ送信方法。
【請求項２５】
前記共通制御チャネルでページングメッセージを出力する場合、ページングメッセージを出力する旨の情報をさらに前記専用チャネルで送信する請求項１に記載のデータ送信方法。
【請求項２６】
無線インタフェースを介して共通制御チャネルでページングメッセージを送信し、専用チャネルでマルチメディア・ブロードキャスト／マルチキャスト・サービス（ＭＢＭＳ）用データを前記無線インタフェースを介して送信する手段を備え、前記ページングメッセージと前記ＭＢＭＳデータとは、ネットワークエンティティが供給する無線セルに配置された、ＭＢＭＳデータを受信可能な移動局が該データを同時に受信できるように、送信されるセルラ通信ネットワークのネットワークエンティティ。
【請求項２７】
共通制御チャネルで前記無線アクセスネットワークが送信するページングメッセージと、専用チャネルでセルラ通信ネットワークの無線アクセスネットワークが送信するマルチメディアブロードキャスト／マルチキャストサービス（ＭＢＭＳ）用データとを、無線インタフェースを介して同時に受信する手段を備えた移動体端末装置。
【請求項２８】
無線インタフェースを介して共通制御チャネルでページングメッセージを送信し、専用チャネルでマルチメディア・ブロードキャスト／マルチキャスト・サービス（ＭＢＭＳ）用のデータを前記無線インタフェースを介して送信する手段を備えたセルラ通信ネットワークのネットワークエンティティであって、前記ページングメッセージと前記ＭＢＭＳデータとは、前記ネットワークエンティティが供給する無線セルに配置された、ＭＢＭＳデータを受信可能な移動局が該データを同時に受信できるように、送信されるネットワークエンティティと、
共通制御チャネルで前記無線アクセスネットワークが送信するページングメッセージと、専用チャネルでセルラ通信ネットワークの無線アクセスネットワークが送信するマルチメディアブロードキャスト／マルチキャストサービス（ＭＢＭＳ）用データとを無線インタフェースを介して同時に受信する手段を備えた移動体端末装置と、
を備えた通信システム。
【発明の詳細な説明】
【技術分野】
【０００１】
本発明は、無線インタフェースを介するセルラ通信ネットワークの無線アクセスネットワークから、無線アクセスネットワークが供給する無線セルに配置された移動体端末装置へマルチメディアブロードキャスト／マルチキャストサービス（ＭＢＭＳ）用データを送信する方法に関する。使用される無線アクセスネットワークは、特に、ＧＥＲＡＮ、すなわちＧＳＭ（移動体通信用広域システム）ＥＤＧＥ（ＧＳＭ用拡張型データレート）ＲＡＮ（無線アクセスネットワーク）であってもよい。本発明は、対応するネットワークエンティティと、対応する移動体端末装置と、対応する通信システムとにも同様に関する。
【背景技術】
【０００２】
技術仕様ＢＧＰＰ  ＴＳ２２.１４６  Ｖ５.０.０（２００１-１０）の第１ステージ：“マルチメディア・ブロードキャスト／マルチキャスト・サービス；ステージ１（リリース５）”には、マルチキャスト・ブロードキャスト・マルチメディア・サービス（ＭＢＭＳ）と呼ばれるサービス要件が仕様化されている。ＭＢＭＳは、テキスト、音声、画像またはビデオのようなマルチメディアデータの一対多方向送信を可能にするものである。ＭＢＭＳに対して、ブロードキャストモードとマルチキャストモードの２つの動作モードが設けられる。ブロードキャストモードとは異なり、マルチキャストモードは、一般に、マルチキャスト申込みグループとサービスの起動とに対する申込みを必要とする。ブロードキャストモードでは、マルチメディアデータが単一のソースポイントから、無線インタフェースを介してブロードキャストエリアへ送信されるのに対して、マルチキャストモードでは、マルチメディアデータは単一のソースポイントから無線インタフェースを介してマルチキャスト領域のマルチキャストグループへ送信される。したがって、双方のモードで、共通無線チャネルを介して複数の移動体端末装置が同じデータを受信することが可能となり、これによって無線リソースの効率的利用が可能となる。無線アクセスネットワークを介するＭＢＭＳの実現はまだ仕様化されていない。
【０００３】
セルラ通信ネットワークの無線セルで送信されるＭＢＭＳデータの場合、この無線セルで全体的容量割当てを考慮に入れるトランスポートメカニズムが必要である。
【０００４】
ＧＥＲＡＮ間を往来する送信は時分割多元接続（ＴＤＭＡ）に基づく接続となる。ＴＤＭＡシステムでは、無線インタフェースにおける時間はフレームに分割され、個々のフレームはいくつかのタイムスロットに分割される。ＧＳＭ／ＧＰＲＳ（一般パケット無線サービス）の場合、図１に示すように１フレーム当たりのタイムスロットが設けられる。
【０００５】
無線インタフェースを介するデータ送信の場合、タイムスロットと周波数とからなる一連のフレームとして物理チャネルが規定される。図２には説明のために、単一の無線周波数キャリアに対して、ヘリックスに設けた８個の連続するＴＤＭＡフレーム用の一連のタイムスロット２１であって、異なるフレーム内でタイムスロットと同じタイムスロットがヘリックスで同じ角度の位置に現れるものを示す。このキャリアのみを使用する物理チャネルはこれらのフレーム内の一連のそれぞれ同じタイムスロット２２により構成される。図示の物理チャネルに属する個々のＴＤＭＡフレーム内のタイムスロット２２を黒く示す。タイムスロットの物理的内容、すなわちデータストリームにより変調される無線周波数キャリアの対応する期間はバーストと呼ばれる。
【０００６】
ＧＰＲＳとＥＧＰＲＳ（拡張型ＧＰＲＳ）では、同様に図２に示す物理チャネルが４つの連続するフレームからなるブロックにさらに分割される。４つのブロック・インタリーブバーストで上記構造を用いてデータ転送を行うことが可能であり、１タイムスロット当たりおよび１フレーム当たり１回のバーストが行われる。使用される変調方式とコード化方式とに応じて、ブロックはさまざまな情報量を運ぶことができる。いくつかの論理チャネル（たとえば、パケットデータチャネル（ＰＤＣＨ）、パケット共通制御チャネル（ＰＤＣＨ）、パケット関連制御チャネル（ＰＡＣＣＨ）など）からの情報を多重化して１つの物理チャネルの異なるブロックに変えることができる。したがって、第１のブロックをＰＤＣＨと関連づけ、次のブロックをＰＣＣＣＨと関連づけ、等々を行うことが可能である。いくつかのユーザを多重化して、単一のＰＤＣＨに変えることも可能である。
【０００７】
ある特定のサービスを行うための特定のデータレートをサポートするために、ネットワークは、サービス用として同時にいくつかの物理チャネルを割り当て、さらに、上記物理チャネルの無線ブロックの全部または一部をさらに割り当てることができる。このようにして、ネットワークは柔軟に所望のビットレートを出力することが可能となる。
【０００８】
セル内での移動体端末装置による送受信が可能となるように、周波数と時間領域に物理チャネルを配置する必要がある。セル内の移動体端末装置が同時にいくつかのチャネルをフォローするものであれば、移動体端末装置のマルチスロットクラス制約条件をさらに考慮する必要がある。移動体端末装置は所定数のタイムスロットの送受信を行うことが可能であり、この数は移動体端末装置の性能に応じて決まる。送受信用としてサポートされているタイムスロットの個数に応じて移動体端末装置のマルチスロットクラスが決められる。一般に、移動体端末装置は例えばダウンリンクでは２、３または４個のタイムスロットをサポートし、アップリンクでは、１または２個のタイムスロットをサポートすることができる。最も単純なケースでは、移動体端末装置は、１方向当たりただ１つのタイムスロットで送受信を行うことができる１＋１の端末装置である。端末装置に割り当てられたアップリンク送信期間とダウンリンク受信期間との間に十分な時間を残すようにこれらの送受信時間を設定し、それによって移動体端末装置が受信から送信へ、さらに、この逆の送信から受信への切り替えを行って、周波数の変更と隣接セルの測定とを実行できるようにする必要がある。これらの要件を考慮に入れた説明のための配置を図３に示す。
【０００９】
図３の第１行では１９個のダウンリンクタイムスロット、そして、第２行では連続する１９個のＴＤＭＡフレームのアップリンクタイムスロットを示す。ダウンリンクとアップリンクでのマルチスロットクラス４の移動体端末装置が使用するタイムスロットが図３に黒く示す。図でわかるように、移動体端末装置は、ダウンリンクでは３つの連続するタイムスロット３〜５で受信を行い、アップリンクでは１つのタイムスロット４で送信を行う能力を有している。ダウンリンク時およびアップリンク時にタイムスロットの番号付けを行う際のオフセット値に基づいて、受信から送信へ、また、この逆の送信から受信への変更に備えて少なくとも１つのタイムスロットの予備の時間が常に設けられる。
【００１０】
ＰＤＣＨは、パケット論理チャネルを運ぶために割り当てられた物理チャネルである。アイドルモードでは、移動体端末装置はＰＤＣＨでパケットデータユニット（ＰＤＵ）を転送させるが、移動体端末装置用のＰＤＣＨの無線リソースは割り当てられない。しかし、アイドルモード中、端末装置はパケットブロードキャスト制御チャネル（ＰＢＣＣＨ）と、ＰＣＣＣＨのそのページンググループとをフォローしなければならない。
【００１１】
ブロードキャスト制御チャネルは、固定サブシステムから移動体端末装置への一対多方向単一指向性制御チャネルである。ＰＢＣＣＨは、これらブロードキャスト制御チャネルのうちの１つのチャネルを構成し、パケット送信処理用ネットワークにアクセスするために移動体端末装置が使用するパラメータをブロードキャストする。ＰＢＣＣＨは１つのＰＤＣＨ上へのみマッピングされ、したがって、１つのタイムスロットにのみ対応づけられる。ＰＢＣＣＨに含まれる複数のパラメータのうちの１つのパラメータは、ＴＤＭＡマルチフレームでＰＢＣＣＨに割り当てられたブロックの数を示すパラメータＢＳ_ＰＢＣＣＨ_ＢＬＫＳである。
【００１２】
ＰＣＣＣＨは、一対多方向双方向制御チャネルを構成するいくつかの共通制御チャネルのうちの１つのチャネルである。ＰＣＣＣＨと、その異なる論理チャネル（パケットページングチャネル（ＰＰＣＨ）、パケット通知チャネル（ＰＮＣＨ）、パケットランダムアクセスチャネル（ＰＲＡＣＨ）およびパケットアクセス許可チャネル（ＰＡＧＣＨ））とを物理チャネルに対して動的にマッピングすることが可能である。ＰＰＣＨとＰＲＡＣＨとを除いて、ＰＣＣＣＨは、ＰＢＣＣＨに使用するブロックを除くすべてのブロックに対してマッピングすることが可能となる。ネットワークに登録された端末は、ある特定のページンググループに対して割り当てられ、次いでページングメッセージが、それぞれのページンググループと関連づけられたＰＰＣＨによって送信される。ページングメッセージには、ネットワークが端末装置との通信開始を望むときに必要なデータが含まれる。
【００１３】
セル内に１つしかＰＣＣＣＨが存在しない場合、ＰＣＣＣＨはＰＢＣＣＨと同じタイムスロットに設けられる。追加のＰＣＣＣＨを設ける必要がある場合、これらのＰＣＣＣＨは別のタイムスロットおよび／または別のキャリアに割り当てることができる。複数のＰＣＣＣＨが存在する場合、共有ＰＢＣＣＨ／ＰＣＣＣＨタイムスロットでＰＢＣＣＨ用としてＢＳ_ＰＢＣＣＨ_ＢＬＫＳパラメータに基づいて使用されるブロックは、追加のＰＣＣＣＨタイムスロット内の他のＰＣＣＣＨ用としては使用されない。なお、これらのブロックは、パケットデータトラフィックチャネル（ＰＤＴＣＨ）用としてのみ使用することができる。これによって、移動体端末装置は、ＰＢＣＣＨ情報またはページングメッセージのいずれかを失うリスクを伴うことなく、複数のＰＣＣＣＨケースでも、ＰＢＣＣＨとページングブロックの常時受信が可能となる。
【発明の開示】
【００１４】
セルラ通信ネットワークの無線セルで、無線アクセスネットワークから、特にＧＥＲＡＮから移動体端末装置へのＭＢＭＳデータの送信を可能にすることが本発明の目的である。
【００１５】
この目的は、無線セルで使用されているフレーム構造で規定された少なくとも１つの共通制御チャネルでページングメッセージを送信するステップと、上記フレーム構造で同様に規定された専用チャネルでＭＢＭＳデータを送信するステップと、を具備する方法を用いて本発明により達成される。移動体端末装置によるページングメッセージとＭＢＭＳデータとの同時受信を可能にするように、上記専用チャネルを割当てるという別の提案が行われる。この提案は、ＭＢＭＳデータを受信する移動体端末装置のマルチスロットクラス制約条件を特に考慮することを意味するものである。
【００１６】
本発明の目的は、対応する信号を送信する手段を備えたネットワークエンティティを用いて、対応する信号を受信する手段を備えた移動体端末装置を用いて、さらに、このような移動体端末装置を補助するようなネットワークエンティティを備えたセルラ通信システムを用いて同様に達成される。
【００１７】
したがって、本発明によれば、上記ネットワークエンティティは、共通制御チャネルで無線インタフェースページングを介してメッセージを送信する手段と、専用チャネルのマルチメディアブロードキャスト／マルチキャストサービス（ＭＢＭＳ）用データを無線インタフェースを介して送信し、ページングメッセージとＭＢＭＳデータとを送信することにより、ＭＢＭＳデータを受信する能力を持ち、ネットワークエンティティにより供給される無線セルに位置する移動局が上記データを同時に受信できるようにする手段とを備えるものである。ネットワークエンティティは、特に、ＧＥＲＡＮまたはＧＥＲＡＮのネットワークエレメントとしてもよい。本発明に基づく移動体端末装置は、適宜無線インタフェースを介して共通制御チャネルで無線アクセスネットワークにより送信されるページングメッセージと、専用チャネルでセルラ通信ネットワークの無線アクセスネットワークにより送信されるマルチメディアブロードキャスト／マルチキャストサービス（ＭＢＭＳ）用データとを同時に受信する手段を備える。
【００１８】
本発明は、ＭＢＭＳデータ用トランスポートメカニズムがいくつかの制約を考慮する必要があるという配慮から進められるものである。特に、移動体端末装置が、ＭＢＭＳチャネルの捕捉（listening）を行いながらページングメッセージを受信できるようにすることが保証されなければならない。さらに、信号制御およびアップリンクメッセージ転送を回避して、広いグループの人々に対する同時サービスサポートを可能とすることが望ましい。また、バッテリの節減のためにダウンリンクチャネルの不要なモニタを避けるようにすることが望ましい。
【００１９】
上記すべての基準を満足させることができるのが本発明の利点である。さらに、本発明により、サービス要件に基づくチャネルビットレートの調整を可能にすることによって、マルチメディアのブロードキャストとマルチキャストのサービスとに対する弾力的な資源の割当てが可能となる。
【００２０】
本発明の好ましい実施形態は従属クレームから明らかになる。
【００２１】
移動体端末装置が、ページングメッセージとＭＢＭＳデータとを同時に受信できるように、専用チャネルを割り当てる種々のアプローチが存在する。
【００２２】
第１のアプローチは、使用されているフレーム構造の個々のフレームが複数のタイムスロットから構成されるという条件に基づくものである。ページングメッセージを出力する専用ＭＢＭＳチャネルを共通制御チャネルのキャリアに配置する、あるいは、周波数ホッピングの場合、上記共通制御チャネル用として使用しているのと同じホッピングパラメータを持つチャネルに上記専用ＭＢＭＳチャネルを配置するという提案が行われる。移動体端末装置のマルチスロットクラス制約条件に応じて、上記専用チャネルはさらにタイムスロットに割り当てられる。専用チャネルが共通制御チャネルと同じタイムスロットに割り当てられている場合、どの移動体端末装置でもＭＢＭＳデータとページングメッセージとを同時に捕捉することができる。移動体端末装置が少なくとも２つのタイムスロットを同時に捕捉する（listen）ことができる場合、ページングメッセージを出力する共通制御チャネルが使用しているタイムスロットに隣接するタイムスロットに上記専用チャネルを割り当てることも可能である。移動体端末装置が、無線アクセスネットワークからの３以上のタイムスロットの受信をサポートしている場合、専用チャネル用として使用するタイムスロットは、ページングメッセージを出力する共通制御チャネル用として使用している当該タイムスロットに直接隣接している必要さえない。一般的に言えば、専用チャネル用として使用するタイムスロットと、ページングメッセージを出力する共通制御チャネル用として使用するタイムスロットとの間のタイムスロットの個数は、移動体端末装置によりサポートされたタイムスロットの個数から２を引いた数以下にしてもよい。例えば、移動体端末装置が３つのタイムスロットをサポートしている場合、専用チャネル用として使用しているタイムスロットと、ページングメッセージを出力する共通制御チャネル用として使用しているタイムスロットとの間に１つのタイムスロットを設けるものであってもよい。
【００２３】
少なくともＭＢＭＳデータの受信時に著しい中断を伴うことなく、移動体端末装置によるブロードキャスト情報の受信を可能にするために、ブロードキャスト情報を送信するブロードキャスト制御チャネルに関連してＭＢＭＳチャネルを割り当てる方法に対してさらに注意を払う必要がある。好ましい代替例では、ブロードキャスト制御チャネル用としても無線セルで使用されているタイムスロットに対して専用ＭＢＭＳチャネルの割当てが行われる。第２の提案されたアプローチでは、ブロードキャスト制御チャネル用の無線セルで使用されているタイムスロットに隣接して設けられたタイムスロットに対して専用ＭＢＭＳチャネルが割り当てられる。第３の提案されたアプローチでは、ページングメッセージを出力する共通制御チャネル用として使用しているタイムスロットに隣接して設けられたタイムスロットに対して専用ＭＢＭＳチャネルが割り当てられる。次いで、ブロードキャスト制御チャネル用無線セルで使用されているタイムスロットに隣接して該共通制御チャネル用タイムスロットが設けられる。移動体端末装置がサポートしている受信用タイムスロットの個数に応じて、移動体端末装置が上記チャネル用として使用している３つすべてのタイムスロットの同時捕捉を防げることなく、ブロードキャスト制御チャネル、専用ＭＢＭＳチャネルおよび共通制御チャネル用として使用しているタイムスロット間に１または２以上のタイムスロットを設けるようにしてもよい。
【００２４】
特に、移動体端末装置が、専用チャネル、並びに、移動体端末装置用のページングメッセージを出力する共通制御チャネルを同時に捕捉できないように、専用チャネルが配置されているケースに対して、４つの代替アプローチが提案される。例えば、ページングメッセージを出力する共通制御チャネル以外の別のキャリアに専用チャネルを配置したり、この共通制御チャネル以外の別のホッピング周波数を使用したりする必要が生じる場合もある。このようなケースでは、移動体端末装置がそのページンググループのページングメッセージを捕捉している間、いくつかのＭＢＭＳデータの紛失が生じる危険がある。
【００２５】
第２のアプローチは、無線セルで使用されているフレーム構造は、複数のフレームを含む個々のブロックに分割されるという条件に基づくものである。ページングメッセージとは異なるブロック周期でＭＢＭＳデータを送信するという提案が行われる。このケースでは、必要なガード時間を考慮に入れることが望ましい。第２のアプローチに基づく割当ては、主として、かなり短いビットレートを必要とするＭＢＭＳに適している。異なる共通制御チャネルが、異なるページンググループに対してページングメッセージを出力する場合もあること、したがって、異なる移動体端末装置が異なる時にページングメッセージを捕捉することができることをさらに考慮に入れる必要がある。
【００２６】
第２のアプローチと組み合わせることができる第３のアプローチでは、共通制御チャネルでページングメッセージを捕捉している間、移動体端末装置は、いくつかのＭＢＭＳデータの紛失を許容するが、これは、ページングメッセージが移動体端末装置に着信できるようにすることを保証する意図のために行われるものである。紛失したＭＢＭＳデータは繰り返しにより後で受信することができる。
【００２７】
第４のアプローチでは、ＭＢＭＳデータを受信するために登録された移動体端末装置用ページングメッセージも専用チャネルで送信される。したがって、専用チャネルを用いてページングメッセージの同時モニタが可能となる。
【００２８】
第５のアプローチでは、移動体端末装置は、ページングメッセージが来信中である旨の通知を専用チャネルを介して受け取るのみである。移動体端末装置は、ＭＢＭＳを捕捉し始める前にネットワークに対して登録を行うことができる。ＭＢＭＳ用として登録済みの移動体端末装置にページングメッセージが来信中の場合、対応する指示が、ＭＢＭＳデータの送信に使用されている専用チャネルで送信される。このような指示は、ページングメッセージ自体よりも少ない容量しか必要としない。移動体端末装置は、この指示を受信するときはいつでもページングメッセージを出力する共通制御チャネルへ切り替わり、通知されるページングメッセージを捕捉する。これによって、移動体端末装置は、たとえ主として専用チャネルの捕捉を行う場合であってもページングメッセージを受信することになる。このアプローチの利点として、従来の方法でページングメッセージを受信する移動体端末装置の能力を維持しながら、専用チャネルの割当てを行うことができるさらに多くの自由がこのアプローチによって残されるという点が挙げられる。移動体端末装置は、ページングメッセージが着信したときにのみＭＢＭＳデータを失うことになるが、ＭＢＭＳデータの紛失が生じる発生頻度は、共通制御チャネルでのページングの場合に比べてずっと少なくなる。実際のページングメッセージが、通常のページングチャネルで送信されるため、専用ＭＢＭＳチャネルでのページングメッセージの送信する場合に結果として生じる可能性がある潜在的エラーを回避することができる。
【００２９】
特に専用としてというわけではないが、本発明はＧＥＲＡＮと共に使用することが可能である。
【００３０】
ＧＥＲＡＮおよびパケット交換ＭＢＭＳデータの場合、ページングメッセージを含む共通制御チャネルはＧＰＲＳ用として規定されたＰＣＣＣＨであることが望ましく、そして、ＥＧＰＲＳおよびブロードキャスト制御チャネルはＧＰＲＳ並びにＥＧＰＲＳ用として規定されたＰＢＣＣＨであることが望ましい。
【００３１】
本発明の他の目的と特徴とは、添付図面と関連して行なわれる以下の詳細な説明から明らかとなる。
【発明を実施するための最良の形態】
【００３２】
本発明の好ましい第１のアプローチの４つの実施形態を以下に示す。これら実施形態の各々は、ＧＥＲＡＮセルでＧＰＲＳまたはＥＧＰＲＳを用いて実現される。実施形態の各々では、ＧＥＲＡＮから、ＧＥＲＡＮセルに配置された移動体端末装置へのＭＢＭＳデータの送信用の専用チャネルが提供される。この専用チャネルをパケットマルチメディアブロードキャストチャネル（ＰＭＢＣＨ）と呼ぶ。
【００３３】
本発明の第１および第２の実施形態は、単一のＰＣＣＧＨがＧＥＲＡＮセルに割り当てられたケースに向けられる。このケースでは、ＰＣＣＣＨとＰＢＣＣＨとは同じ物理チャネルに配置され、該物理チャネルはタイムスロットと周波数とにより規定される。ＰＣＣＣＨは、ページングメッセージを移動体端末装置へ出力するためにもＧＥＲＡＮセルで使用される。
【００３４】
第１の実施形態では、ＰＢＣＣＨおよびＰＣＣＣＨと同じ物理チャネルに対して新たなＰＭＢＣＨがさらに割り当てられる。このアプローチを図４に示す。図４は、５２マルチフレームの順次フレームの形で、物理チャネルに使用するタイムスロットを示すものである。４つの連続フレームはそれぞれブロックに属する。物理チャネルは、ＰＢＣＣＨと、ＰＣＣＣＨと、ＰＭＢＣＨとの間でブロック毎のベースで分割され、これらチャネルの各々は、異なるブロック周期でタイムスロットに割り当てられる。フレームｘ内の対応するタイムスロットはアイドルフレームと呼ばれる。実際に、この物理チャネルに通常のＰＤＣＨを割り当てることも可能である。しかし、利用可能な残り容量がきわめて少ないことを考慮に入れる必要がある。
【００３５】
ＰＣＣＣＨと、ＰＢＣＣＨと、ＰＭＢＣＨとの同じタイムスロットへの割当てにより、ページングメッセージまたはブロードキャストメッセージを失うことなく、セル内の移動体端末装置がＭＢＭＳデータを受信できることが保証される。というのは、情報全体を得るために単一のタイムスロットのみをモニタすればよいからである。
【００３６】
しかしながら、本発明の第１の実施形態は、ＭＢＭＳがかなり短いビットレートを要求する場合に限って適正なものである。というのは、使用されている物理チャネルのタイムスロットで利用可能な容量が制限されているからである。
【００３７】
第２の実施形態は、ＭＢＭＳ用としてさらに多くの容量を必要とするケースに関連して代替例として提案されるものである。本実施形態では、ＭＢＭＳデータはＰＢＣＣＨとＰＣＣＣＨ用として使用されているタイムスロットに隣接するタイムスロットに割り当てられる。
【００３８】
第２の実施形態に基づくチャネルの可能な割当てが図５に示す。本例の場合、ＭＢＭＳ受信をサポートするセル内の移動体端末装置は３つのタイムスロットで受信を行うことができると想定する。例えば、このような移動体端末装置としてクラス４の移動体端末装置が考えられる。
【００３９】
図５は、個々のフレームに対して１〜８の番号をつけた一連のダウンリンクタイムスロットを示す図である。唯一のＰＣＣＣＨとＰＢＣＣＨがタイムスロット４に割り当てられている。新たなＰＭＢＣＨが隣接タイムスロット３と５とに割り当てられている。ＰＣＣＣＨとＰＢＣＣＨとがタイムスロット４のタイムスロット容量の一部しか必要としないため、追加してタイムスロット４の残り容量にＰＭＢＣＨを割り当てることが可能となる。図５に、第１のフレームのタイムスロット４は、ＰＣＣＣＨおよび／またはＰＢＣＣＨに割り当てられているのに対して、タイムスロット３と５とはＰＭＢＣＨに割り当てられている。上記とは対照的に、第２のフレームでは、タイムスロット３と５に追加してタイムスロット４がＰＭＢＣＨに割り当てられている。必要な容量に応じて、選択したタイムスロットでブロック毎にＰＭＢＣＨを設けてもよいが、これが行われる頻度は少ない。
【００４０】
なお、割り当てられたタイムスロットの個数全体が、ＭＢＭＳデータを処理するための、ＭＢＭＳが可能な移動体端末装置によってサポートされているタイムスロットの個数を上回らないようにしたほうがよい。そうすることによって、ページングメッセージとブロードキャストメッセージに追加してＭＢＭＳデータの受信を行うことが移動体端末装置のクラス制限により妨害されないことが保証される。
【００４１】
本発明の第３と第４の実施形態は、ＧＥＲＡＮセルで２以上のＰＣＣＣＨを割り当てるケースを対象とするものである。このケースでは、個々の移動体端末装置は、そのページンググループが位置するＰＣＣＣＨのみをフォローする必要がある。ＰＣＣＣＨのうちの第１のＰＣＣＣＨがＰＢＣＣＨと同じタイムスロットに割り当てられる。また、第３と第４の実施形態では、ＰＭＢＣＨは移動体端末装置が従うＰＣＣＣＨと同じタイムスロットか、および／または、このＰＣＣＣＨが割り当てられているタイムスロットに隣接するタイムスロットかのいずれかのタイムスロットに割り当てられる。様々な移動体端末装置が様々なＰＣＣＣＨに従っていることが考えられるため、セルのＰＭＢＣＨとＰＣＣＣＨチャネルのすべてを隣接タイムスロットに割り当てて、セルのすべての移動体端末装置が移動体端末装置のページンググループとＰＭＢＣＨとをフォローできるように図ることが望ましい。ページングメッセージを出力するＰＣＣＣＨのうちの１つのＰＣＣＣＨと同じタイムスロットに、ＰＭＢＣＨが割り当てられていない場合、別のＰＣＣＣＨと同じタイムスロットおよび／またはＰＣＣＣＨが割り当てられていないタイムスロットに、ＰＭＢＣＨを割り当てるようにしてもよい。
【００４２】
本発明の第３の実施形態はコンステレーション用として示すものであり、この場合、セルは２つのＰＣＣＣＨタイムスロットを使用し、さらに、ＭＢＭＳの受信能力を持つセルの移動体端末装置が３つのタイムスロットで受信を行うことができる。移動体端末装置が、ＭＢＭＳサービスの中断を伴うことなく、ＰＢＣＣＨブロックとページングブロックとをＰＣＣＣＨで受信できるようにするために、ＰＢＣＣＨと、ページングメッセージを出力するＰＣＣＣＨと、ＰＭＢＣＨとが隣接タイムスロットに割り当てられる。したがって、ＰＢＣＣＨと、ページングメッセージを出力するＰＣＣＣＨとが同じタイムスロットに割り当てられている場合、少なくとも２つの隣接タイムスロットが使用され、一方、ＰＢＣＣＨと、ページングメッセージを出力するＰＣＣＣＨとが異なるタイムスロットに割り当てられている場合、３つの隣接タイムスロットが使用される。
【００４３】
本発明の第４の実施形態はコンステレーション用として示すものであり、この場合、セルは２つのＰＣＣＣＨタイムスロットを使用し、ＭＢＭＳを受信する能力を持つセル内の少なくともいくつかの移動体端末装置だけが、２つのタイムスロットで受信を行うことができる。このケースでは、２つのＰＣＣＣＨタイムスロットが互いに離れて１つのタイムスロットに好適に割り当てられ、ＰＭＢＣＨが上記２つのＰＣＣＣＨタイムスロット間のタイムスロットに割り当てられる。
【００４４】
本発明の第４の実施形態に基づくチャネルの割当てに関連する一例を図６に示す。図６に、１〜８の個々のフレームに対して番号をつけた一連のダウンリンクタイムスロットを再び示す。ＰＢＣＣＨタイムスロットに常に対応する第１のＰＣＣＣＨタイムスロット３は、第２のＰＣＣＣＨタイムスロット５から１タイムスロット分離間して配置される。ＰＭＢＣＨは、２つのＰＣＣＣＨタイムスロット３と５との間に配置されたタイムスロット、すなわちタイムスロット４に割り当てられる。ある特定の移動体端末装置用のページングメッセージは、２つのＰＣＣＣＨのうちのいずれかのＰＣＣＣＨにより出力される。
【００４５】
このような割当てに関して、少なくとも２つのダウンリンクタイムスロットを捕捉する能力を持つＧＥＲＡＮセル内のすべての移動体端末装置は、ページングメッセージとＭＢＭＳデータとを復号することができる。やはりＰＢＣＣＨブロックを含む第１のＰＣＣＣＨタイムスロット３をフォローする移動体端末装置は、中断を伴うことなく、上記割当てで、ＰＢＣＣＨ、並びに、ページングメッセージとＰＭＢＣＨとを出力するＰＣＣＣＨを受信することができる。第２のＰＣＣＣＨタイムスロット５をフォローする移動体端末装置は、第２のＰＣＣＣＨにより通常出力されるページングメッセージを受信することができるが、タイムスロット３で出力されるＰＢＣＣＨからシステム情報メッセージを復号する短時間の間、時々ＰＭＢＣＨタイムスロット４での受信を中止する必要がある。
【００４６】
３つのタイムスロットで受信する能力を持つ移動体端末装置は、第４の実施形態の割当ての場合に生じる中断を伴うことなく、ＭＢＭＳデータを受信できることは明らかである。このような移動体端末装置の場合、第４の実施形態は第３の実施形態の特別のケースを構成するものとなる。
【００４７】
本発明の４つの実施形態にはＧＥＲＡＮページングコンセプトを修正する必要がないという利点がある。というのは、移動体端末装置が、移動体端末装置の個々のページンググループに割り当てられたページングブロックを捕捉するように割込みを行うことができるからである。
【００４８】
本発明の好ましい実施形態に適用された、本発明の基本的な新規な特徴について説明し、指摘したが、当業者が、本発明の精神から逸脱することなく、本装置と方法の細部の種々の変更を行ってもよいことを理解されたい。したがって、本発明は、本明細書に添付の特許請求の範囲によって示されるような限定のみを受けることを意図するものである。
【図面の簡単な説明】
【００４９】
【図１】ＴＤＭＡフレーム構造を示す。
【図２】ＴＤＭＡフレーム構造における物理チャネルの構成を示す。
【図３】クラス４の移動体端末装置により使用されるダウンリンク用およびアップリンク用タイムスロットを示す。
【図４】本発明の第１の実施形態を示す。
【図５】本発明の第２の実施形態を示す。
【図６】本発明の第４の実施形態を示す。
【図１】
2005528050.tif 000003
【図２】
2005528050.tif 000004
【図３】
2005528050.tif 000005
【図４】
2005528050.tif 000006
【図５】
2005528050.tif 000007
【図６】
2005528050.tif 000008
【国際調査報告】
2005528050.tif 000009
2005528050.tif 000010
2005528050.tif 000011